(57)【要約】【課題】複数の伴奏パターンのうちのより適切な伴奏パターンを自動伴奏すること。【解決手段】演奏用鍵盤５のうちの打鍵された鍵に対応する楽音を発生させる演奏部１２と、鍵の打鍵強度を検出する演奏状態検出部１３と、第１範囲３２に打鍵強度が含まれるときに第１伴奏パターンを自動伴奏し、第１範囲３２と異なる第２範囲３１、３３、３４に打鍵強度が含まれるときに第１伴奏パターンと異なる第２伴奏パターンを自動伴奏する自動伴奏部１５とを備えている。このとき、ユーザは、演奏用鍵盤５を用いて打鍵強度を変えて演奏することにより、異なる複数の伴奏パターンを電子楽器１に自動伴奏させることができる。【選択図】図１
2008096772.tif 000002
【特許請求の範囲】
【請求項１】
演奏用鍵盤のうちの打鍵された鍵に対応する楽音を発生させる演奏部と、
前記鍵の打鍵強度を検出する演奏状態検出部と、
第１範囲に前記打鍵強度が含まれるときに第１伴奏パターンを自動伴奏し、前記第１範囲と異なる第２範囲に前記打鍵強度が含まれるときに前記第１伴奏パターンと異なる第２伴奏パターンを自動伴奏する自動伴奏部
とを具備する電子楽器。
【請求項２】
演奏用鍵盤のうちの打鍵された鍵に対応する楽音を発生させる演奏部と、
前記鍵の打鍵強度を検出する演奏状態検出部と、
第１範囲に前記打鍵強度が含まれるときに自動伴奏中のメイン伴奏パターンを継続して自動演奏し、前記第１範囲と異なる第２範囲に前記打鍵強度が含まれるときにフィルイン伴奏パターンを自動伴奏する自動伴奏部
とを具備する電子楽器。
【請求項３】
請求項２において、
前記自動伴奏部は、
前記第２範囲のうちの第３範囲に前記打鍵強度が含まれるときに、前記フィルイン伴奏パターンが自動伴奏された後に前記メイン伴奏パターンと異なる他のメイン伴奏パターンを自動伴奏し、
前記第２範囲のうちの前記第３範囲と異なる第４範囲に前記打鍵強度が含まれるときに、前記フィルイン伴奏パターンが自動伴奏された後に前記メイン伴奏パターンを自動伴奏する
電子楽器。
【請求項４】
請求項３において、
前記自動伴奏部は、前記他のメイン伴奏パターンが自動伴奏されている場合で、前記第２範囲と異なる第５範囲に前記打鍵強度が含まれるときに、前記フィルイン伴奏パターンと異なる他のフィルイン伴奏パターンを自動伴奏し、前記他のフィルイン伴奏パターンが自動伴奏された後に前記メイン伴奏パターンを自動伴奏する
電子楽器。
【請求項５】
請求項１〜請求項４のいずれかにおいて、
前記打鍵強度は、前記演奏用鍵盤のうちの所定期間に打鍵された複数の鍵の打鍵強度の平均を示す
電子楽器。
【請求項６】
請求項１〜請求項５のいずれかにおいて、
伴奏用鍵盤のうちの打鍵された鍵に基づいてコードを検出するコード検出部を更に具備し、
前記自動伴奏部により自動伴奏される伴奏パターンは、前記コードに対応する
電子楽器。
【請求項７】
演奏用鍵盤のうちの打鍵された鍵に対応する楽音を発生させる演奏部と、
前記鍵の打鍵強度と前記鍵に対応する音高とに基づいて影響度を算出する演奏状態検出部と、
第１範囲に前記影響度が含まれるときに第１伴奏パターンを自動伴奏し、前記第１範囲と異なる第２範囲に前記影響度が含まれるときに前記第１伴奏パターンと異なる第２伴奏パターンを自動伴奏する自動伴奏部
とを具備する電子楽器。
【請求項８】
演奏用鍵盤のうちの打鍵された鍵に対応する楽音を発生させる演奏部と、
前記鍵に対応する音高を検出する演奏状態検出部と、
第１範囲に前記音高が含まれるときに第１伴奏パターンを自動伴奏し、前記第１範囲と異なる第２範囲に前記音高が含まれるときに前記第１伴奏パターンと異なる第２伴奏パターンを自動伴奏する自動伴奏部
とを具備する電子楽器。
【発明の詳細な説明】
【技術分野】
【０００１】
本発明は、電子楽器に関し、特に、複数の伴奏パターンのうち選択される１つの伴奏パターンを自動伴奏する電子楽器に関する。
【背景技術】
【０００２】
打鍵された鍵に応じたコードの伴奏パターンを自動伴奏する電子楽器が知られている。このような電子楽器は、さらに、複数の伴奏パターンを記録し、入力装置の操作によりその複数の伴奏パターンから選択された伴奏パターンを自動的に伴奏することができる。このような電子楽器は、より適切な伴奏パターンを自動伴奏することが望まれている。このような電子楽器は、さらに、複数の伴奏パターンのうちから自動伴奏される１つの伴奏パターンをユーザが選択するときに、そのユーザの操作をより容易にすることが望まれている。
【０００３】
特開平０５−２３２９５９号公報には、余計なスイッチ操作等を行なうことなく、容易に自動伴奏パターンを変更可能とすることにより、変化に富んだ演奏が可能な電子弦楽器が開示されている。その電子楽器は、演奏入力を受け付ける操作子と、この操作子に対する演奏入力を検出する演奏入力手段と、この演奏入力手段の検出出力に基づいて楽音を発生させる楽音発生手段と、自動伴奏のための自動伴奏データを出力する自動伴奏制御手段と、この自動伴奏制御手段が出力する自動伴奏データに基づいて楽音を発生させる自動伴奏発生手段と、上記演奏入力手段の検出出力から前記演奏入力の入力レベルを検出する入力レベル検出手段と、この入力レベル検出手段にて検出した入力レベルと第１の所定値との大小を比較判断して第１の判別データを出力すると共に、前記入力レベルと第２の所定値との大小を比較判断して第２の判別データを出力する判別手段と、この判別手段が出力する第１の判別データに基づき、前記自動伴奏制御手段が出力する自動伴奏データを異なる自動伴奏データに変更するよう制御すると共に、該判別手段が出力する第２の判別データに基づき、変更された該自動伴奏データを変更前の自動伴奏データに戻すよう制御する自動演奏変更制御手段とを有することを特徴としている。
【０００４】
【特許文献１】特開平０５−２３２９５９号公報
【発明の開示】
【発明が解決しようとする課題】
【０００５】
本発明の課題は、複数の伴奏パターンのうちのより適切な伴奏パターンを自動伴奏する電子楽器を提供することにある。
本発明の他の課題は、複数の伴奏パターンのうちから自動伴奏される１つの伴奏パターンを選択することをより容易にする電子楽器を提供することにある。
【課題を解決するための手段】
【０００６】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【０００７】
本発明による電子楽器（１）は、演奏用鍵盤（５）のうちの打鍵された鍵に対応する楽音を発生させる演奏部（１２）と、鍵の打鍵強度を検出する演奏状態検出部（１３）と、第１範囲（３２）に打鍵強度が含まれるときに第１伴奏パターンを自動伴奏し、第１範囲（３２）と異なる第２範囲（３１、３３、３４）に打鍵強度が含まれるときに第１伴奏パターンと異なる第２伴奏パターンを自動伴奏する自動伴奏部（１５）とを備えている。このとき、ユーザは、演奏用鍵盤（５）を用いて打鍵強度を変えて演奏することにより、異なる複数の伴奏パターンを電子楽器（１）に自動伴奏させることができる。
【０００８】
本発明による電子楽器（１）は、演奏用鍵盤（５）のうちの打鍵された鍵に対応する楽音を発生させる演奏部（１２）と、鍵の打鍵強度を検出する演奏状態検出部（１３）と、第１範囲（３２）に打鍵強度が含まれるときに自動伴奏中の伴奏パターンを継続して自動演奏し、第１範囲（３２）と異なる第２範囲（３１、３３、３４）に打鍵強度が含まれるときにフィルイン伴奏パターンを自動伴奏する自動伴奏部（１５）とを備えている。このとき、ユーザは、演奏用鍵盤（５）を用いて打鍵強度を変えて演奏することにより、異なる複数の伴奏パターンを電子楽器（１）に自動伴奏させることができる。
【０００９】
自動伴奏部（１５）は、第２範囲（３１、３３、３４）のうちの第３範囲（３４）に打鍵強度が含まれるときに、フィルイン伴奏パターンが自動伴奏された後にメイン伴奏パターンと異なる他の伴奏パターンを自動伴奏する。第２範囲（３１、３３、３４）のうちの第３範囲（３４）と異なる第４範囲（３３）に打鍵強度が含まれるときに、フィルイン伴奏パターンが自動伴奏された後にメイン伴奏パターンを自動伴奏することが好ましい。
【００１０】
自動伴奏部（１５）は、他のメイン伴奏パターンが自動伴奏されている場合で、第１範囲（３２）と異なり、かつ、第２範囲（３１、３３、３４）と異なる第５範囲（３１）に打鍵強度が含まれるときに、フィルイン伴奏パターンと異なる他のフィルイン伴奏パターンを自動伴奏し、他のフィルイン伴奏パターンが自動伴奏された後にメイン伴奏パターンを自動伴奏することが好ましい。
【００１１】
打鍵強度は、演奏用鍵盤（５）のうちの所定期間に打鍵された複数の鍵の打鍵強度の平均を示していることが好ましい。
【００１２】
本発明による電子楽器（１）は、伴奏用鍵盤（６）のうちの打鍵された鍵に基づいてコードを検出するコード検出部（１４）をさらに備えていることが好ましい。このとき、自動伴奏部（１５）により自動伴奏される伴奏パターンは、コードに対応している。すなわち、自動伴奏部（１５）は、コード検出部（１４）により検出されるコードに対応する伴奏パターンを自動演奏する。
【００１３】
本発明による電子楽器（１）は、演奏用鍵盤（５）のうちの打鍵された鍵に対応する楽音を発生させる演奏部（１２）と、鍵の打鍵強度と鍵に対応する音高とに基づいて影響度（Ａ）を算出する演奏状態検出部（１３）と、第１範囲（３２）に影響度（Ａ）が含まれるときに第１伴奏パターンを自動伴奏し、第１範囲（３２）と異なる第２範囲（３１、３３、３４）に影響度（Ａ）が含まれるときに第１伴奏パターンと異なる第２伴奏パターンを自動伴奏する自動伴奏部（１５）とを備えていることが好ましい。
【００１４】
本発明による電子楽器（１）は、演奏用鍵盤（５）のうちの打鍵された鍵に対応する楽音を発生させる演奏部（１２）と、鍵に対応する音高を検出する演奏状態検出部（１３）と、第１範囲（３２）に音高が含まれるときに第１伴奏パターンを自動伴奏し、第１範囲（３２）と異なる第２範囲（３１、３３、３４）に音高が含まれるときに第１伴奏パターンと異なる第２伴奏パターンを自動伴奏する自動伴奏部（１５）とを備えていることが好ましい。
【発明の効果】
【００１５】
本発明による電子楽器は、複数の伴奏パターンからユーザによる演奏に基づいて選択される伴奏パターンを自動伴奏することできる。このとき、ユーザは、演奏状態（たとえば、打鍵強度）を変えて演奏することにより、複数の伴奏パターンのうちから自動伴奏される１つの伴奏パターンを容易に選択することができる。
【発明を実施するための最良の形態】
【００１６】
図面を参照して、本発明による電子楽器の実施の形態を記載する。その電子楽器１は、図１に示されているように、電子楽器本体２がパネル３と演奏用鍵盤５と伴奏用鍵盤６とスピーカ７とを備えている。
【００１７】
パネル３は、複数のスイッチを備えている。パネル３は、その複数のスイッチのうちの操作されたスイッチとそのスイッチの状態とを示す電気信号を電子楽器本体２に出力する。すなわち、ユーザは、パネル３を操作して情報を生成し、その情報を電子楽器本体２に入力する。
【００１８】
演奏用鍵盤５は、複数の鍵を備えている。複数の鍵は、複数の白鍵と複数の黒鍵とから形成され、それぞれ、互いに異なる複数の音高に対応している。演奏用鍵盤５は、打鍵された鍵とその打鍵強度とを示す電気信号を電子楽器本体２に出力する。
【００１９】
伴奏用鍵盤６は、複数の鍵を備えている。複数の鍵は、複数の白鍵と複数の黒鍵とから形成され、それぞれ、互いに異なる複数の音高に対応している。伴奏用鍵盤６は、打鍵された鍵を示す電気信号を電子楽器本体２に出力する。
【００２０】
スピーカ７は、電子楽器本体２により生成された電気信号を音に変換し、すなわち、電子楽器本体２により生成された楽音を発音する。
【００２１】
電子楽器本体２は、コンピュータであり、複数のコンピュータプログラムがインストールされている。図示されていないＣＰＵと記憶装置とを備えている。そのＣＰＵは、電子楽器本体２にインストールされるコンピュータプログラムを実行して、その記憶装置とパネル３と演奏用鍵盤５と伴奏用鍵盤６とスピーカ７とを制御する。その記憶装置は、そのコンピュータプログラムを記録し、そのＣＰＵにより生成される情報を一時的に記録する。
【００２２】
電子楽器本体２は、そのコンピュータプログラムである設定部１１と演奏部１２と演奏状態検出部１３とコード検出部１４と自動伴奏部１５とがインストールされている。
【００２３】
設定部１１は、パネル３の操作に基づいてモードを切り換える。そのモードは、通常モードと自動フィルインモードとを含んでいる。設定部１１は、さらに、パネル３の操作に基づいて定数Ｋｎと定数Ｋｖと第１閾値と第２閾値と第３閾値と期間とを設定する。すなわち、設定部１１は、ユーザによりパネル３から入力される数値を定数Ｋｎと定数Ｋｖと第１閾値と第２閾値と第３閾値とに代入する。このとき、定数Ｋｎは、０〜１の数値が代入される。定数Ｋｖは、０〜１の数値が代入される。第１閾値は、０〜２５６の数値が代入される。第２閾値は、０〜２５６の数値であり、第１閾値より小さい数値が代入される第３閾値は、０〜２５６の数値であり、第２閾値より小さい数値が代入される。
【００２４】
定数Ｋｎと定数Ｋｖと第１閾値と第２閾値と第３閾値とは、それぞれ、初期的に所定の値が予め代入されている。たとえば、定数Ｋｎとしては、初期的に１が代入されている。定数Ｋｖとしては、初期的に１が代入されている。第１閾値としては、初期的に２００が代入されている。第２閾値としては、初期的に１８０が代入されている。第３閾値としては、初期的に３０が代入されている。期間としては、初期的に４小節が代入されている。設定部１１は、ユーザにより数値が入力されないときに、定数Ｋｎと定数Ｋｖと第１閾値と第２閾値と第３閾値と期間とに予め代入されている値を設定する。
【００２５】
演奏部１２は、演奏用鍵盤５のうちの打鍵された鍵とその鍵の打鍵強度とに基づいて算出される楽音を示す電気信号を作成し、その電気信号をスピーカ７に出力して、その鍵が打鍵された直後にその楽音をスピーカ７から発音する。たとえば、その楽音の音高は、演奏用鍵盤５のうちの打鍵された鍵に対応している。その楽音のラウドネスとエンベロープとは、その打鍵された鍵の打鍵強度に対応している。
【００２６】
演奏状態検出部１３は、演奏用鍵盤５を用いて演奏されるときの演奏状態を検出する。その演奏状態は、演奏用鍵盤５のうちの打鍵された鍵の音高とその鍵の打鍵強度とを示している。その音高は、０から１２７までの整数で表現される。その打鍵強度は、０から１２７までの整数で表現される。演奏状態検出部１３は、さらに、音高Ｎｏｔｅと打鍵強度Ｖｅｌｏと定数Ｋｎと定数Ｋｖとを用いて、次式：
Ｅ＝（Ｎｏｔｅ×Ｋｎ）＋（Ｖｅｌｏ×Ｋｖ）
により表現される影響度Ｅを算出する。演奏状態検出部１３は、さらに、設定部１１により設定された期間（たとえば、４小節）だけ現在から遡った時刻から現在までの期間に算出される影響度Ｅの平均を算出する。
【００２７】
コード検出部１４は、伴奏用鍵盤６のうちの打鍵された鍵に基づいてコードを算出する。
【００２８】
自動伴奏部１５は、複数の伴奏パターンを記憶装置に記録している。その複数の伴奏パターンは、第１メイン伴奏パターンと第２メイン伴奏パターンと第１フィルイン伴奏パターンと第２フィルイン伴奏パターンとを含んでいる。第１メイン伴奏パターンは、通常の伴奏パターンを示している。第２メイン伴奏パターンは、通常の伴奏パターンを示し、第１メイン伴奏パターンより明るい感じがする伴奏パターンを示している。第１フィルイン伴奏パターンは、通常の伴奏パターンに変化を付けるために挿入される伴奏パターンを示している。第２フィルイン伴奏パターンは、通常の伴奏パターンに変化を付けるために挿入される伴奏パターンを示し、第１フィルイン伴奏パターンより暗い感じがする伴奏パターンを示している。自動伴奏部１５は、設定部１１により通常モードが選択されているときに、その複数の伴奏パターンからパネル３の操作に基づいて１つの伴奏パターンを選択する。自動伴奏部１５は、設定部１１により自動フィルインモードが選択されているときに、演奏状態検出部１３により算出された平均Ａに基づいてその複数の伴奏パターンから１つの伴奏パターンを選択する。自動伴奏部１５は、コード検出部１４により算出されたコードに基づいてその伴奏パターンから移調された伴奏パターンを算出し、その算出された伴奏パターンを示す電気信号を作成し、その電気信号をスピーカ７に出力して、その伴奏バターンをスピーカ７から発音する。
【００２９】
電子楽器１の動作は、モードを切り換える動作と通常モードの動作と自動フィルインモードの動作とを備えている。モードを切り換える動作は、ユーザによりパネル３が所定の操作がされたときに開始する。たとえば、電子楽器１は、ユーザによりパネル３が所定の操作がされたときに、モードを通常モードに切り換える。電子楽器１は、ユーザによりパネル３が所定の操作がされたときに、モードを自動フィルインモードに切り換える。
【００３０】
通常モードの動作は、モードを切り換える動作により通常モードに切り換えられているときに実行される。電子楽器１は、演奏用鍵盤５のうちの打鍵された鍵とその鍵の打鍵強度とに基づいて算出される楽音をスピーカ７から発音する。電子楽器１は、さらに、その複数の伴奏パターンからパネル３の操作に基づいて１つの伴奏パターンを選択する。電子楽器１は、伴奏用鍵盤６のうちの打鍵された鍵に基づいてコードを算出する。電子楽器１は、そのコードに基づいてその伴奏パターンから移調された伴奏パターンをスピーカ７から発音する。
【００３１】
自動フィルインモードの動作は、モードを切り換える動作により自動フィルインモードに切り換えられているときに実行される。電子楽器１は、演奏用鍵盤５のうちの打鍵された鍵とその鍵の打鍵強度とに基づいて算出される楽音をスピーカ７から発音する。電子楽器１は、並行して、自動伴奏する動作を実行する。
【００３２】
図２は、その自動伴奏する動作を示している。電子楽器１は、まず、演奏用鍵盤５を用いて演奏されるときの演奏状態を検出する。その演奏状態は、演奏用鍵盤５のうちの打鍵された鍵の音高とその鍵の打鍵強度とを示している。電子楽器１は、さらに、音高Ｎｏｔｅと打鍵強度Ｖｅｌｏと定数Ｋｎと定数Ｋｖとを用いて、次式：
Ｅ＝（Ｎｏｔｅ×Ｋｎ）＋（Ｖｅｌｏ×Ｋｖ）
により表現される影響度Ｅを算出する。電子楽器１は、さらに、現在から所定小節分（たとえば、４小節）だけ遡った時刻から現在までの期間に算出される影響度Ｅの平均Ａを算出する（ステップＳ１）。
【００３３】
電子楽器１は、平均Ａが第１閾値より大きいときに、たとえば、平均Ａが２０１以上であるときに（ステップＳ２、ＹＥＳ）、伴奏用鍵盤６のうちの打鍵された鍵に基づいてコードを算出し、そのコードに基づいて第１フィルイン伴奏パターンを移調した伴奏パターンを算出する。電子楽器１は、平均Ａが２０１以上になった小節の次の小節からその伴奏バターンをスピーカ７から発音する。電子楽器１は、その伴奏バターンを自動伴奏した後に、伴奏用鍵盤６のうちの打鍵された鍵に基づいてコードを算出し、そのコードに基づいて第２メイン伴奏パターンを移調した伴奏パターンをスピーカ７から発音する（ステップＳ３）。
【００３４】
電子楽器１は、平均Ａが第２閾値以上であり、かつ、第１閾値以下であるときに、たとえば、平均Ａが１８０以上であり、かつ、２００以下であるときに（ステップＳ４、ＹＥＳ）、伴奏用鍵盤６のうちの打鍵された鍵に基づいてコードを算出し、そのコードに基づいて第１フィルイン伴奏パターンを移調した伴奏パターンを算出する。電子楽器１は、平均Ａが１８０以上であり、かつ、２００以下になった小節の次の小節からその伴奏バターンをスピーカ７から発音する。電子楽器１は、その伴奏バターンを自動伴奏した後に、伴奏用鍵盤６のうちの打鍵された鍵に基づいてコードを算出し、そのコードに基づいて第１メイン伴奏パターンを移調した伴奏パターンをスピーカ７から発音する（ステップＳ５）。
【００３５】
電子楽器１は、平均Ａが第３閾値以下であるときに、たとえば、平均Ａが３０以下であるときに（ステップＳ６、ＹＥＳ）、伴奏用鍵盤６のうちの打鍵された鍵に基づいてコードを算出し、そのコードに基づいて第２フィルイン伴奏パターンを移調した伴奏パターンを算出する。電子楽器１は、平均Ａが３０以下になった小節の次の小節からその伴奏バターンをスピーカ７から発音する。電子楽器１は、その伴奏バターンを自動伴奏した後に、伴奏用鍵盤６のうちの打鍵された鍵に基づいてコードを算出し、そのコードに基づいて第１メイン伴奏パターンを移調した伴奏パターンをスピーカ７から発音する（ステップＳ７）。
【００３６】
電子楽器１は、平均Ａが第３閾値より大きく、かつ、第２閾値以下であるときに、たとえば、平均Ａが３１以上であり、かつ、１８０以下であるときに（ステップＳ６、ＮＯ）、伴奏用鍵盤６のうちの打鍵された鍵に基づいてコードを算出し、そのコードに基づいて現在自動伴奏中のメイン伴奏パターン（第１メイン伴奏パターンまたは第２メイン伴奏パターン）を移調した伴奏パターンを算出し、その伴奏バターンをスピーカ７から発音する。
【００３７】
図３は、平均Ａが取り得る値の範囲を示している。その範囲は、平均Ａが０以上であり、かつ、平均Ａが２５５以下である範囲を示し、範囲３１と範囲３２と範囲３３と範囲３４とから形成されている。範囲３１は、平均Ａが０以上であり、かつ、平均Ａが第３閾値３５以下である範囲を示している。範囲３２は、平均Ａが第３閾値３５より大きく、かつ、平均Ａが第２閾値３６より小さい範囲を示している。範囲３３は、平均Ａが第２閾値３６以上であり、かつ、平均Ａが第１閾値３７以下である範囲を示している。範囲３４は、平均Ａが第１閾値３７以上であり、かつ、平均Ａが２５５以下である範囲を示している。
【００３８】
すなわち、電子楽器１は、平均Ａが範囲３４に含まれるときに、第１フィルイン伴奏パターンを自動伴奏した後に、第２メイン伴奏パターンを自動伴奏する。電子楽器１は、平均Ａが範囲３３に含まれるときに、第１フィルイン伴奏パターンを自動伴奏した後に、第１メイン伴奏パターンを自動伴奏する。電子楽器１は、平均Ａが範囲３２に含まれるときに、現在自動伴奏中の伴奏パターン（第１メイン伴奏パターンまたは第２メイン伴奏パターン）を継続して自動伴奏する。電子楽器１は、平均Ａが範囲３１に含まれるときに、第２フィルイン伴奏パターンを自動伴奏した後に、第１メイン伴奏パターンを自動伴奏する。
【００３９】
換言すれば、電子楽器１は、平均Ａが範囲３２に含まれるときに、現在自動伴奏中の伴奏パターン（第１メイン伴奏パターンまたは第２メイン伴奏パターン）を継続して自動伴奏し、平均Ａが範囲３１と範囲３３と範囲３４とに含まれるときに、現在自動伴奏中の伴奏パターンと異なる伴奏パターン（第１フィルイン伴奏パターンまたは第２フィルイン伴奏パターン）を一時的に自動伴奏する。
【００４０】
図４は、自動フィルインモードで第１フィルイン伴奏パターンまたは第２フィルイン伴奏パターンが自動伴奏されるタイミングを示している。電子楽器１は、第１メイン伴奏パターンまたは第２メイン伴奏パターンが自動伴奏されている期間２１に、演奏用鍵盤５の鍵が打鍵されるたびに平均Ａを算出している。電子楽器１は、３０以下または１８０以上の平均Ａが期間２１のうちの時刻ｔ１に算出されたときに、時刻ｔ１に自動伴奏中の小節が終了する時刻ｔ２から後の期間２２に第１フィルイン伴奏パターンまたは第２フィルイン伴奏パターンを自動伴奏する。電子楽器１は、第１フィルイン伴奏パターンまたは第２フィルイン伴奏パターンが終了した時刻ｔ３から第１メイン伴奏パターンまたは第２メイン伴奏パターンを自動伴奏する。
【００４１】
なお、時刻ｔ２は、自動フィルインモードで第１メイン伴奏パターンまたは第２メイン伴奏パターンが終了した後のタイミングであるが、他のタイミングを適用することもできる。その時刻ｔ２としては、時刻ｔ１の直後のタイミング、時刻ｔ１の以降の最初の拍が発音されるタイミングが例示される。
【００４２】
ユーザは、一般的に、演奏用鍵盤５による演奏が白熱してくると、演奏用鍵盤５の打鍵される鍵の音高が上がり、打鍵強度が上がってくる。このような動作によれば、電子楽器１は、複数の伴奏パターンからユーザによる演奏に基づいて選択される伴奏パターンを自動伴奏することでき、たとえば、演奏が白熱することにより明るい伴奏パターンを自動伴奏することができる。さらに、ユーザは、演奏状態（音高、打鍵強度）を変えて演奏することにより、複数の伴奏パターンのうちから自動伴奏される１つの伴奏パターンを容易に選択することができる。さらに、電子楽器１は、定数Ｋｎとして０が代入されることにより音高に無頓着に伴奏パターンを選択し、または、定数Ｋｖとして０が代入されることにより打鍵強度に無頓着に伴奏パターンを選択することもできる。
【図面の簡単な説明】
【００４３】
【図１】図１は、本発明による電子楽器の実施の形態を示すブロック図である。
【図２】図２は、自動フィルインモードの動作を示すフローチャートである。
【図３】図３は、影響度の平均が取り得る値の範囲を示す数直線である。
【図４】図４は、フィルイン伴奏パターンが自動伴奏される期間を示すタイムチャートである。
【符号の説明】
【００４４】
１  ：電子楽器
２  ：電子楽器本体
３  ：パネル
５  ：演奏用鍵盤
６  ：伴奏用鍵盤
７  ：スピーカ
１１：設定部
１２：演奏部
１３：演奏状態検出部
１４：コード検出部
１５：自動伴奏部
【図１】
2008096772.tif 000003
【図２】
2008096772.tif 000004
【図３】
2008096772.tif 000005
【図４】
2008096772.tif 000006